(57)【要約】      （修正有）【課題】ソースラインの数を低減して駆動するデュアルゲートなどにおいて、ゲート選択速度に対する著しい増加を信頼性高く行うことが可能なサブピクセル配置の表示パネルおよびシステム及び方法を提供する。【解決手段】表示パネル２３０は、複数のソースラインと、複数のゲートラインと、複数のピクセルとを備え、複数のゲートラインは複数のソースラインに垂直に配設され、複数のピクセルは複数の行で配設され、複数のサブピクセル２４０を備え、複数のサブピクセル２４０の第１の対は、少なくとも２つのソースライン及び３つのゲートラインに接続され、第１の対は、行のうち第１の行内に配設された第１のピクセルと、行のうち第１の行に隣接した第２の行に沿って配設された第２のピクセルとを備え、表示ドライバ２１０は、ソースラインに接続され、ソースラインを駆動し、複数のピクセルを更新する。【選択図】図２
2018156076.tif 000002
【特許請求の範囲】
【請求項１】
複数のソースラインと、
前記複数のソースラインに垂直に配設された複数のゲートラインと、
複数の行で配設され、複数のサブピクセルを含む複数のピクセルと、を備え、
前記複数のピクセルの第１の対は、前記複数のソースラインのうち少なくとも２つのソースライン及び前記複数のゲートラインのうち３つのゲートラインに接続され、
前記第１の対は、前記行のうち第１の行内に配設された第１のピクセルと、前記第１の行に隣接した前記行のうち第２の行に沿って配設された第２のピクセルと、を備える表示パネル。
【請求項２】
前記第１の対は前記ソースラインのうち第３のソースラインに更に結合される、請求項１に記載の表示パネル。
【請求項３】
前記ピクセルのうち前記第１のピクセルは、第１のタイプの第１のサブピクセルと、第２のタイプの第１のサブピクセルと、第３のタイプの第１のサブピクセルとを含み、
前記ピクセルのうち前記第２のピクセルは、前記第１のタイプの第２のサブピクセルと、前記第２のタイプの第２のサブピクセルと、前記第３のタイプの第２のサブピクセルとを含み、
前記複数のゲートラインのうち第１のゲートラインは、前記第１のタイプの前記第１のサブピクセル及び前記第３のタイプの前記第１のサブピクセルに結合され、
前記複数のゲートラインのうち第２のゲートラインは、前記第２のタイプの前記第１のサブピクセル及び前記第２のタイプの前記第２のサブピクセルに結合され、
前記複数のゲートラインのうち第３のゲートラインは、前記第１のタイプの前記第２のサブピクセル及び前記第３のタイプのサブピクセルのうち前記第２のサブピクセルに結合される、請求項１に記載の表示パネル。
【請求項４】
前記複数のソースラインのうち第１のソースラインは、前記第１のタイプの前記第１のサブピクセル、前記第１のタイプの前記第２のサブピクセル及び前記第２のタイプの前記第１のサブピクセルに結合され、
前記複数のソースラインのうち第２のソースラインは、前記第２のタイプの前記第２のサブピクセル、前記第３のタイプの前記第１のサブピクセル及び前記第３のタイプの前記第２のサブピクセルに結合される、請求項３に記載の表示パネル。
【請求項５】
前記第１のピクセルは、第４のタイプの第１のサブピクセルを更に含み、
前記第２のピクセルは、前記第４のタイプの第２のピクセルを更に含み、
前記第４のタイプの前記第１のサブピクセルは、前記第１のゲートライン及び前記複数のソースラインのうち第３のソースラインに結合され、
前記第４のタイプの前記第２のサブピクセルは、前記第２のゲートライン及び前記第３のソースラインに結合される、請求項４に記載の表示パネル。
【請求項６】
前記複数のピクセルの第２の対は、前記３つのゲートライン及び前記ソースラインのうち第２の２つのソースラインに結合される、請求項１に記載の表示パネル。
【請求項７】
前記複数のピクセルの第３の対は、前記複数のゲートラインのうち第２の３つのゲートライン及び前記少なくとも２つのソースラインに結合される、請求項１に記載の表示パネル。
【請求項８】
前記複数のゲートラインに結合され、前記複数のゲートラインを駆動して前記ピクセルを更新するように構成された、ゲートライン制御論理と、
前記複数のソースラインに結合され、前記複数のソースラインを駆動して前記ピクセルを更新するように構成された、表示ドライバと、を更に備える、請求項１に記載の表示パネル。
【請求項９】
複数のセンサ電極と、
前記複数のセンサ電極に結合された複数のルーティングトレースと、を更に備え、
前記複数のルーティングトレースのうち第１のルーティングトレースが前記ソースラインのうち２つのソースライン間に配設される、請求項１に記載の表示パネル。
【請求項１０】
前記複数のルーティングトレースがそれぞれブラックマスク層の下方に配設される、請求項９に記載の表示パネル。
【請求項１１】
表示デバイス用の表示ドライバであって、
複数のピクセルを駆動するように構成された複数のソースドライバを備え、
前記複数のソースドライバは、
複数のソースラインのうち第１のソースラインを駆動して、前記複数のピクセルのうち第１のピクセル対を更新するように構成された第１のソースドライバと、
複数のソースラインのうち第２のソースラインを駆動して、前記第１のピクセル対を更新するように構成された第２のソースドライバと、を備え、
前記第１のピクセル対は、複数のゲートラインのうち第１のゲートライン、第２のゲートライン及び第３のゲートラインに結合される、表示ドライバ。
【請求項１２】
複数のソースドライバは、第３のソースラインを駆動して前記第１のピクセル対を更新するように構成された第３のソースドライバを更に備える、請求項１１に記載の表示ドライバ。
【請求項１３】
前記第１のソースドライバは、前記第１のソースラインを駆動して、前記複数のピクセルのうち第２のピクセル対を更新するように更に構成され、
前記第２のソースドライバは、前記第２のソースラインを駆動して前記第２のピクセル対を更新するように更に構成され、
前記第２のピクセル対が、前記複数のゲートラインのうち第４のゲートライン、第５のゲートライン及び第６のゲートラインに結合される、請求項１１に記載の表示ドライバ。
【請求項１４】
前記複数のソースドライバは、
前記複数のソースラインのうち第４のソースラインを駆動して、前記複数のピクセルのうち第３のピクセル対を更新するように構成された第４のソースドライバと、
前記複数のソースラインのうち第５のソースラインを駆動して、前記第３のピクセル対を更新するように構成された第５のソースドライバと、を更に備える、請求項１１に記載の表示ドライバ。
【請求項１５】
容量感知のために複数のセンサ電極を駆動するように構成されたセンサ回路を更に備える、請求項１１に記載の表示ドライバ。
【請求項１６】
表示パネルと、
表示ドライバと、を備え、
前記表示パネルは、
複数のソースラインと、
複数のゲートラインと、
複数の行で配設され、複数のサブピクセルを含む複数のピクセルと、を備え、
前記複数のピクセルのうち第１のピクセル対は、前記複数のソースラインのうち第１及び第２のピクセル対と、前記複数のゲートラインのうち第１、第２及び第３のゲートラインとに結合され、
前記表示ドライバは、
複数のソースドライバを備え、
前記複数のソースドライバは、
前記第１のソースラインを駆動して前記第１のピクセル対を更新するように構成された第１のソースドライバと、
前記ソースラインのうち前記第２のソースラインを駆動して前記第１のピクセル対を更新するように構成された第２のソースドライバと、を備える、表示デバイス。
【請求項１７】
前記表示デバイスは、前記複数のゲートラインに結合されたゲートライン選択論理を更に備え、
前記ゲートライン選択論理は、
前記第１のゲートラインを駆動して、前記第１のピクセル対のうち第１のピクセルの第１のサブピクセル及び第２のサブピクセルを選択し、
前記第２のゲートラインを駆動して、前記第１のピクセル対のうち第２のピクセルの第１のサブピクセル及び第２のサブピクセルを選択し、
前記第３のゲートラインを駆動して、前記第１のピクセルの第３のサブピクセル及び前記第２のピクセルの第３のサブピクセルを選択する、請求項１６に記載の表示デバイス。
【請求項１８】
前記第１のピクセル対は、前記複数のソースラインのうち第３のソースラインに更に結合され、
前記表示ドライバは、前記第３のソースラインを駆動して前記第１のピクセル対を更新するように構成された第３のソースドライバを更に備える、請求項１６に記載の表示デバイス。
【請求項１９】
前記複数のピクセルの第２のピクセル対は、前記第１及び第２のソースラインと、前記複数のゲートラインのうち第４、第５及び第６のゲートラインと、に結合される、請求項１６に記載の表示デバイス。
【請求項２０】
容量感知及び表示更新のために構成された少なくとも１つの表示電極をそれぞれ備える、複数のセンサ電極と、
前記複数のセンサ電極に結合され、前記複数のソースラインのうちのソースライン間に配設された、複数のルーティングトレースと、
前記複数のルーティングトレースに結合され、容量感知のために前記複数のセンサ電極を駆動するように構成された、センサ回路と、を更に備える、請求項１６に記載の表示デバイス。
【発明の詳細な説明】
【技術分野】
【０００１】
[0001]本開示の実施形態は、概して電子回路に関し、より詳細には、表示パネルにおけるサブピクセル配置に関する。
【０００２】
[0002]表示パネルでは、ソースライン及びゲートラインがガラス基板上に配設される。かかる表示パネルでは、ソースラインの数を低減することによって、対応する表示ドライバ集積回路内のソースドライバの数が低減され、結果として表示ドライバ集積回路の製造コストが減少する。ソースラインの数が減少するにしたがって、表示パネルの許容できる画像の質を維持するために、ゲートラインの数及びゲートラインが選択される速度を、それに対応して増加させなければならない。ゲート選択速度に対する著しい増加を信頼性高く行うことはできないので、ソースラインの数の低減も制限されると共に、表示パネルの製造コストを低減できる能力が制限される。
【０００３】
[0003]したがって、改善された表示パネルが必要とされている。
【０００４】
[0004]一実施形態では、表示パネルは、複数のソースラインと、複数のゲートラインと、複数のピクセルとを備える。複数のゲートラインは複数のソースラインに垂直に配設される。複数のピクセルは、複数の行で配設され、複数のサブピクセルを備える。ピクセルの第１の対は、少なくとも２つのソースライン及び３つのゲートラインに接続される。第１の対は、行のうち第１の行内に配設された第１のピクセルと、行のうち第１の行に隣接した第２の行に沿って配設された第２のピクセルとを備える。
【０００５】
[0005]一実施形態では、表示デバイスの表示ドライバは複数のソースドライバを備える。複数のソースドライバは、複数のピクセルを駆動するように構成される。第１のソースドライバは、第１のソースラインを駆動して、複数のピクセルのうち第１のピクセル対を更新するように構成され、第２のソースドライバは、第２のソースラインを駆動して第１のピクセル対を更新するように構成される。第１のピクセル対は、第１のゲートライン、第２のゲートライン及び第３のゲートラインに結合される。
【０００６】
[0006]一実施形態では、表示デバイスは、表示パネルと表示ドライバとを備える。表示パネルは、複数のソースラインと、複数のゲートラインと、複数のピクセルとを備える。複数のピクセルは、複数の行で配設され、複数のサブピクセルを備える。複数のピクセルのうち第１のピクセルは、第１及び第２のソースラインと、第１、第２及び第３のゲートラインとに結合される。表示ドライバは複数のソースドライバを備える。第１のソースドライバは、第１のソースラインを駆動して第１のピクセル対を更新するように構成され、第２のソースドライバは、第２のソースラインを駆動して第１のピクセル対を更新するように構成される。
【０００７】
[0007]本開示の上記に列挙した特徴を詳細に理解することができるような形式で、上記で簡潔に概要を述べた本開示のより詳細な説明を、実施形態に対する参照として有してもよく、それらの実施形態のいくつかを添付図面にて示す。しかしながら、添付図面は本開示の一部の実施形態のみを示すものであり、したがって、本開示が他の等しく有効な実施形態に対して認めるその範囲を限定するものと見なされないことが留意されるべきである。
【図面の簡単な説明】
【０００８】
[0008]
【図１】本明細書に記載する一実施形態による例示的な入力デバイスを示す概略ブロック図である。    [0009]
【図２】一実施形態による表示デバイスを示す概略ブロック図である。    [0010]
【図３Ａ】一実施形態による表示パネルの一部分を示す概略ブロック図である。
【図３Ｂ】一実施形態による表示パネルの一部分を示す概略ブロック図である。    [0011]
【図４】一実施形態によるサブピクセル回路構造を示す概略図である。    [0012]
【図５】一実施形態による表示デバイスを示す概略ブロック図である。    [0013]
【図６】一実施形態によるセンサ電極パターンを示す概略ブロック図である。
【発明を実施するための形態】
【０００９】
[0014]理解を容易にするため、可能な場合は、図面に共通している同一の要素を指定するのに同一の参照番号が使用されている。１つの実施形態で開示される要素が、具体的に詳述することなく他の実施形態で有益に利用されることがあることが企図される。図面は、具体的に言及されない限り、縮尺どおりに描かれているものと理解すべきでない。また、表現及び説明を明瞭にするため、図面は単純化され、詳細又は構成要素が省略されることがある。図面及び考察は、以下に記載する原理を説明するのに役立ち、同様の指定は同様の要素を指す。
【００１０】
[0015]図１は、本開示の実施形態による例示的な入力デバイス１００のブロック図である。入力デバイス１００は、電子システム（図示なし）に対する入力を提供するように構成されてもよい。本明細書で使用するとき、「電子システム」（又は「電子デバイス」）という用語は、情報を電子的に処理することができる任意のシステムを広く指す。電子システムのいくつかの非限定例としては、デスクトップコンピュータ、ラップトップコンピュータ、ネットブックコンピュータ、タブレット、ウェブブラウザ、電子書籍リーダ及び携帯情報端末（ＰＤＡ）など、全てのサイズ及び形状のパーソナルコンピュータが挙げられる。更なる電子システムの例としては、入力デバイス１００及び別個のジョイスティック又はキースイッチを含む、物理的キーボードなどの複合入力デバイスが挙げられる。更なる電子システムの例としては、データ入力デバイス（遠隔制御及びマウスを含む）並びにデータ出力デバイス（表示画面及びプリンタを含む）などの周辺機器が挙げられる。他の電子システムの例としては、遠隔端末、キオスク及びビデオゲーム機（例えば、ビデオゲームコンソール、携帯型ゲーミングデバイスなど）が挙げられる。他の電子システムの例としては、通信デバイス（スマートフォンなどの携帯電話を含む）、並びにメディアデバイス（記録機、編集機及びテレビ、セットトップボックス、音楽プレーヤー、デジタルフォトフレーム及びデジタルカメラなどの再生機を含む）が挙げられる。更に、電子システムは、入力デバイスに対するホスト又はスレーブであることができる。
【００１１】
[0016]入力デバイス１００は、電子システムの物理的部品として実装することができ、又は電子システムと物理的に別個であることができる。適切な場合、入力デバイス１００は、バス、ネットワーク及び他の有線又は無線相互接続のうち任意の１つ以上を使用して、電子システムの部品と通信してもよい。例としては、Ｉ２Ｃ、ＳＰＩ、ＰＳ／２、ユニバーサルシリアルバス（ＵＳＢ）、ブルートゥース、ＲＦ及びＩＲＤＡが挙げられる。
【００１２】
[0017]図１では、入力デバイス１００は、感知領域１２０で１つ以上の入力オブジェクト１４０によって提供される入力を感知するように構成された、近接センサデバイス（「タッチパッド」又は「タッチセンサデバイス」と呼ばれる場合も多い）として示されている。入力オブジェクトの例としては、図１に示されるように、指及びスタイラスが挙げられる。
【００１３】
[0018]感知領域１２０は、入力デバイス１００がユーザ入力（例えば、１つ以上の入力オブジェクト１４０によって提供されるユーザ入力）を検出することができる、入力デバイス１００の上、周り、中及び／又は近くのあらゆる空間を包含する。特定の感知領域のサイズ、形状及び場所は、実施形態ごとに大きく異なることがある。いくつかの実施形態では、感知領域１２０は、信号雑音比が十分に正確なオブジェクト検出を妨げるまで、入力デバイス１００の表面から１つ以上の方向で空間内へと延在する。この感知領域１２０が特定の方向で延在する距離は、様々な実施形態では、１ミリメートル未満、数ミリメートル、数センチメートル、又はそれ以上の程度であってもよく、使用される感知技術のタイプ及び望まれる精度に伴って大幅に変動することがある。したがって、いくつかの実施形態は、入力デバイス１００のいずれの表面との接触も含まない入力、入力デバイス１００の入力表面（例えば、接触表面）との接触を含む入力、加えられたある量の力若しくは圧力と結合された入力デバイス１００の入力表面との接触を含む入力及び／又はそれらの組み合わせを感知する。様々な実施形態では、入力表面は、センサ電極が中に存在するケーシングの表面、センサ電極又は任意のケーシングの上に適用される表面シートなどによって提供されてもよい。いくつかの実施形態では、感知領域１２０は、入力デバイス１００の入力表面上に投影された場合、長方形の形状を有する。
【００１４】
[0019]入力デバイス１００は、感知領域１２０でユーザ入力を検出するのに、センサ構成要素と感知技術の任意の組み合わせを利用してもよい。入力デバイス１００は、ユーザ入力を検出する１つ以上の感知要素を備える。いくつかの非限定例として、入力デバイス１００は、容量性、弾性、抵抗、誘導、磁気、音響、超音波及び／又は光学技術を使用してもよい。
【００１５】
[0020]いくつかの実現例は、一次元、二次元、三次元、又は更に多次元の空間に及ぶ画像を提供するように構成される。いくつかの実現例は、特定の軸線又は面に沿って入力の投影を提供するように構成される。
【００１６】
[0021]入力デバイス１００のいくつかの容量性の実現例では、電圧又は電流が印加されて電界が作成される。近くの入力オブジェクトによって電界の変化が引き起こされ、電圧、電流などの変化として検出されることがある、容量結合の検出可能な変化が生み出される。
【００１７】
[0022]いくつかの容量性の実現例は、電界を作成するのに、容量感知素子のアレイ又は他の規則的若しくは不規則なパターンを利用する。いくつかの容量性の実現例では、別個の感知素子がオームの法則にしたがって互いに短絡されて、より大きいセンサ電極が形成されてもよい。いくつかの容量性の実現例は、均一な抵抗性であってもよい抵抗シートを利用する。
【００１８】
[0023]いくつかの容量性の実現例は、センサ電極と入力オブジェクトとの間の容量結合の変化に基づいた、「自己容量」（又は「絶対容量」）感知方法を利用する。様々な実施形態では、センサ電極近くの入力オブジェクトはセンサ電極近くの電界を変化させ、それにより、測定された容量結合が変化する。１つの実現例では、絶対容量感知方法は、基準電圧（例えば、システム接地）に対してセンサ電極を変調することによって、またセンサ電極と入力オブジェクトとの間の容量結合を検出することによって動作する。
【００１９】
[0024]いくつかの容量性の実現例は、センサ電極間の容量結合の変化に基づいた、「相互容量」（又は「トランス容量」）感知方法を利用する。様々な実施形態では、センサ電極近くの入力オブジェクトはセンサ電極間の電界を変化させ、それにより、測定された容量結合が変化する。１つの実現例では、トランス容量感知方法は、１つ以上の送信機センサ電極（「送信機電極」又は「送信機」でもある）と、１つ以上の受信機センサ電極（「受信機電極」又は「受信機」でもある）との間の容量結合を検出することによって動作する。送信機センサ電極は、送信機信号を送信するように、基準電圧（例えば、システム接地）に対して変調されてもよい。受信機センサ電極は、結果として得られる信号の受信を容易にするため、基準電圧に対して実質的に一定に保たれてもよい。結果として得られる信号は、１つ以上の送信機信号及び／又は１つ以上の環境干渉源（例えば、他の電磁信号）に対応する影響を含んでもよい。センサ電極は、専用の送信機若しくは受信機であってもよく、又は送信及び受信の両方を行うように構成されてもよい。
【００２０】
[0025]図１では、処理システム１１０は入力デバイス１００の一部として示されている。処理システム１１０は、入力デバイス１００のハードウェアを動作させて、感知領域１２０における入力を検出するように構成される。処理システム１１０は、１つ以上の集積回路（ＩＣ）及び／又は他の回路構成要素の一部若しくは全てを備える。例えば、相互容量センサデバイスに対する処理システムは、送信機センサ電極を用いて信号を送信するように構成された送信機回路類及び／又は受信機センサ電極を用いて信号を受信するように構成された受信機回路類を含んでもよい。いくつかの実施形態では、処理システム１１０はまた、ファームウェアコード、ソフトウェアコード及び／又はその他など、電子的に読取り可能な命令を備える。いくつかの実施形態では、処理システム１１０を構成する構成要素は、入力デバイス１００の感知素子の近くなど、共に位置する。他の実施形態では、処理システム１１０の構成要素は、入力デバイス１００の感知素子に近い１つ以上の構成要素及び他の場所の１つ以上の構成要素とは物理的に別個である。例えば、入力デバイス１００は、デスクトップコンピュータに結合された周辺機器であってもよく、処理システム１１０は、デスクトップコンピュータの中央処理装置で稼動するように構成されたソフトウェアと、中央処理装置とは別個の１つ以上のＩＣ（場合によっては関連するファームウェアを含む）とを備えてもよい。別の例として、入力デバイス１００は、電話に物理的に統合されてもよく、処理システム１１０は、電話の主プロセッサの一部である回路及びファームウェアを備えてもよい。いくつかの実施形態では、処理システム１１０は、入力デバイス１００を実装するための専用のものである。他の実施形態では、処理システム１１０はまた、表示画面の操作、触覚アクチュエータの駆動など、他の機能を実施する。
【００２１】
[0026]処理システム１１０は、処理システム１１０の異なる機能を扱う一連のモジュールとして実装されてもよい。各モジュールは、処理システム１１０の一部である回路類、ファームウェア、ソフトウェア、又はそれらの組み合わせを備えてもよい。様々な実施形態では、モジュールの異なる組み合わせが使用されてもよい。モジュールの例としては、センサ電極及び表示画面などのハードウェアを操作するハードウェア操作モジュール、センサ信号及び位置情報などのデータを処理するデータ処理モジュール、並びに情報を報告する報告モジュールが挙げられる。モジュールの更なる例としては、感知素子を操作して入力を検出するように構成されたセンサ操作モジュール、モード変更ジェスチャーなどのジェスチャーを識別するように構成された識別モジュール、並びに動作モードを変更するモード変更モジュールが挙げられる。
【００２２】
[0027]いくつかの実施形態では、処理システム１１０は、１つ以上のアクションを引き起こすことによって直接、感知領域１２０におけるユーザ入力（又はユーザ入力の欠如）に応答する。アクションの例としては、動作モードの変更、並びにカーソル移動、選択、メニュー案内及び他の機能などのＧＵＩアクションが挙げられる。いくつかの実施形態では、処理システム１１０は、入力（又は入力の欠如）に関する情報を、電子システムのある部分に対して（例えば、別個の中央処理システムが存在する場合、処理システム１１０とは別個である電子システムのかかる中央処理システムに対して）提供する。いくつかの実施形態では、電子システムのある部分は、処理システム１１０から受信した情報を処理して、モード変更アクション及びＧＵＩアクションを含むアクション全般を容易にするなど、ユーザ入力に対して作用する。
【００２３】
[0028]例えば、いくつかの実施形態では、処理システム１１０は、入力デバイス１００の感知素子を動作させて、感知領域１２０における入力（又は入力の欠如）を示す電気信号を生成する。処理システム１１０は、電子システムに提供される情報を生成する際に、電気信号に対して任意の適切な量の処理を実施してもよい。例えば、処理システム１１０は、センサ電極から得られたアナログ電気信号をデジタル化してもよい。別の例として、処理システム１１０は、フィルタ処理又は他の信号処理を実施してもよい。更に別の例として、処理システム１１０は、情報が電気信号とベースラインとの間の差を反映するように、ベースラインに対して減算又は他の計算を行ってもよい。更なる別の例として、処理システム１１０は、位置情報を決定すること、入力をコマンドとして認識すること、手書きを認識することなどを行ってもよい。
【００２４】
[0029]「位置情報」は、本明細書で使用するとき、絶対位置、相対位置、速度、加速度及び他のタイプの空間情報を広く包含する。例示の「ゼロ次元」位置情報は、近距離／遠距離又は接触／非接触情報を含む。例示の「一次元」位置情報は、軸線に沿った位置を含む。例示の「二次元」位置情報は、面内における運動を含む。例示の「三次元」位置情報は、空間内における瞬間又は平均速度を含む。更なる例としては、空間情報の他の表現が挙げられる。例えば、経時的に位置、運動、又は瞬間速度を追跡する履歴データを含む、１つ以上のタイプの位置情報に関する履歴データも、決定及び／又は記憶されてもよい。
【００２５】
[0030]いくつかの実施形態では、入力デバイス１００には、処理システム１１０によって、又は他の何らかの処理システムによって操作される、追加の入力構成要素が実装される。これらの追加の入力構成要素は、感知領域１２０における入力に対する冗長な機能性、又は他の何らかの機能性を提供してもよい。図１は、入力デバイス１００を使用した項目の選択を容易にするのに使用することができる、感知領域１２０近くのボタン１３０を示している。他のタイプの追加の入力構成要素としては、スライダ、ボール、ホイール、スイッチなどが挙げられる。反対に、いくつかの実施形態では、入力デバイス１００には他の入力構成要素が実装されなくてもよい。
【００２６】
[0031]いくつかの実施形態では、入力デバイス１００はタッチパネルインターフェースを備え、感知領域１２０は、表示画面の有効面積の少なくとも一部に重なる。例えば、入力デバイス１００は、表示画面に重なる実質的に透明なセンサ電極を備え、関連する電子システムに対してタッチパネルインターフェースを提供してもよい。表示画面は、視覚的インターフェースをユーザに対して表示することができる、任意のタイプの動的なディスプレイであってもよく、任意のタイプの発光ダイオード（ＬＥＤ）、有機ＬＥＤ（ＯＬＥＤ）、陰極線管（ＣＲＴ）、液晶ディスプレイ（ＬＣＤ）、プラズマ、電界発光（ＥＬ）、又は他の表示技術を含んでもよい。入力デバイス１００及び表示画面は物理的要素を共有してもよい。例えば、いくつかの実施形態は、表示及び感知のために同じ電気的構成要素のいくつかを利用してもよい。別の例として、表示画面は、処理システム１１０によって部分的又は全体的に操作されてもよい。
【００２７】
[0032]本開示の多くの実施形態は、完全に機能している装置に関連して記載しているが、本開示のメカニズムは、様々な形態のプログラム製品（例えば、ソフトウェア）として分配できることが理解されるべきである。例えば、本開示のメカニズムは、電子プロセッサによって読取り可能な情報担持媒体（例えば、処理システム１１０によって読み取ることができる、非一時的なコンピュータ読取り可能及び／又は記録可能／書込み可能な情報担持媒体）上のソフトウェアプログラムとして実装され分配されてもよい。それに加えて、本開示の実施形態は、分配を実施するのに使用される媒体の特定のタイプとは関係なく等しく当てはまる。非一時的な電子読取り可能な媒体の例としては、様々なディスク、メモリスティック、メモリカード、メモリモジュールなどが挙げられる。電子読取り可能な媒体は、フラッシュ、光学、磁気、ホログラフィ、又は他の任意の記憶技術に基づいてもよい。
【００２８】
[0033]図２は、入力デバイス１００の表示デバイス２００の一例を示す概略図である。表示デバイス２００は、表示パネル２３０と、ゲート選択論理２２０と、表示ドライバ２１０とを含む。様々な実施形態では、ゲートラインはゲート電極と呼ばれることがあり、ソースラインはソース電極と呼ばれることがある。表示ドライバ２１０は、更新のために表示パネル２３０のピクセル（及びそれに対応して、サブピクセル）を駆動するように構成され、ゲート選択論理は、更新のためにサブピクセルを活性化させるゲートラインを選択するように構成される。
【００２９】
[0034]表示パネル２３０は、サブピクセル２４０と、ゲートライン２２４と、ソースライン２１８とを備える。サブピクセル２４０は、様々なタイプのサブピクセルを含んでもよく、互いにグループ化されてピクセルを形成する。例えば、各ピクセルは、各タイプのサブピクセルを１つ含んでもよい。サブピクセル２４０は、赤色サブピクセルと、緑色サブピクセルと、青色サブピクセルとを含んでもよい。更に他の実施形態では、サブピクセルは追加のタイプのサブピクセルを含んでもよい。例えば、サブピクセル２４０は、赤色サブピクセルと、緑色サブピクセルと、青色サブピクセルと、白色サブピクセルとを含んでもよい。一実施形態では、表示パネル２３０は、２１６０本のソースラインと２８８０本のゲートラインとを含んでもよい。別の実施形態では、表示パネル２３０は、１４４０本のソースラインと１９４０本のゲートラインとを含んでもよい。
【００３０】
[0035]１つ以上の実施形態では、ピクセルは複数の行及び／又は列で配設される。ピクセルの行は、ピクセル行及び／又は表示ラインと呼ばれることがある。一実施形態では、ピクセルの各行はピクセルの別の行に対して平行である。更に、第１のピクセル行及びそれに対応するピクセルは、第２のピクセル行及びそれに対応するピクセルに隣接している。１つ以上の実施形態では、各ピクセルは同じ数のサブピクセルを有する。他の実施形態では、少なくとも１つのピクセルは別のピクセルと異なる数のサブピクセルを有する。一実施形態では、ピクセルは、１つを超える行で配設されたサブピクセルで構成されてもよい。
【００３１】
[0036]図３Ａは、表示パネル２３０の部分３００Ａを示している。図３Ａは更に、サブピクセル２４０、ゲートライン２２４及びソースライン２１８の一部分を示している。図示されるように、ゲートライン２２４はゲートライン２２４１〜２２４６を含み、ソースライン２１８はソースライン２１８１〜２１８４を含む。更に、サブピクセル２４０は、赤色サブピクセルＲ１〜Ｒ８と、緑色サブピクセルＧ１〜Ｇ８と、青色サブピクセルＢ１〜Ｂ８とを含む。サブピクセルは、ゲートライン及びソースラインに対応する行及び列へとグループ化される。表示パネル２３０を更新するため、サブピクセルは、データ信号でゲートラインを駆動し、次に対応するソースラインを駆動することにより、サブピクセルを選択することによって駆動される。
【００３２】
[0037]様々な実施形態では、ソースラインの数を低減することによって、有益には、表示パネル２３０の表示ドライバ集積回路のコストが減少する。例えば、ソースドライバが表示ドライバ集積回路内に実装されると、ソースラインの数を低減することによって、表示ドライバ集積回路のコストが低減され、結果的に表示デバイスの材料コストも低減される。しかしながら、各サブピクセルが個別にアドレス可能であることを担保する必要がある場合が多く、ソースラインの数が低減された実施形態では、共通する行のサブピクセルが２つ以上のゲートラインに結合される。更に、かかる実施形態では、ゲートラインは、より多数のゲートラインを有する表示デバイスと比較して、増加した選択速度で駆動される。例えば、サブピクセルの行が選択のために２つのゲートライン間で分割された場合、各ゲートラインは、行の各サブピクセルに単一のゲートラインが結合されている従来の表示パネルのゲートラインと同じ速さで二回駆動される。しかしながら、いくつかの表示パネルでは、スイッチングエレクトロニクスはゲートラインの選択速度の増加に対応していない。
【００３３】
[0038]減少した数のソースラインと増加した数のゲートラインとを有する表示パネルは、「デュアルゲート」表示パネルと呼ばれ、ソースラインの数が半分に低減され、ゲートラインの数が二倍になっている。デュアルゲートのサブピクセル構成は、ピクセル１行当たり１つのゲートラインを有する従来の表示パネルと比較して、ゲートラインの数を二倍にし、ソースラインの半分にすることによって、ＬＣＤパネルのコストを低減する１つの方法の一例である。更に、デュアルゲート構成では、２つのゲートラインがピクセル行間の全てのチャネルにあり、ソースラインはピクセル列間で共有される。各ソースラインは、表示ドライバ集積回路の対応するソースドライバによって駆動されるので、ソースラインの数を低減することによって、有益には、表示ドライバ集積回路のソースドライバの数も低減されて、表示ドライバ集積回路及びそれに対応する表示デバイスのコストが低減される。
【００３４】
[0039]しかしながら、様々な実施形態では、表示パネルは、デュアルゲート構成で実現された表示パネルが求める活性化速度の増加に対応できない。例えば、縦置きの向きを有する表示パネルは、横置きの向きを有する表示パネルと比較して、より多数のゲートラインを有する。かかる実施形態では、対応するスイッチングエレクトロニクス（例えば、トランジスタ）は、デュアルゲート構成を実現する表示パネルが求めるスイッチング回数の増加に対応していないことがある。更に、低速表示タイプ（例えば、低温多結晶シリコン（ＬＴＰＳ））も、デュアルゲート構成を実現する表示パネルに対応するのに十分な高速での駆動に対応していないことがある。ソースラインを低減し、表示ドライバ集積回路のコストを減少するのに、他のピクセル構成が用いられてもよい。例えば、図２及び図３Ａの実施形態によって示されるように、３つのゲートライン及び２つのソースラインが、６つのサブピクセルを更新するのに使用されてもよい。かかる構成は３／２ゲートライン構成と呼ばれることがある。図３Ｂは、４つのサブピクセルを有するピクセルを更新するのに３つのソースライン及び３つのゲートラインが使用される、代替実施形態を示している。
【００３５】
[0040]部分３００Ａはサブピクセルの特定のレイアウトを示しているが、サブピクセルは他の構成（例えば、ＧＲＢ、ＢＧＲ、ＲＢＧなど）であることができる。様々な実施形態では、サブピクセルタイプの配置は表示パネル全体にわたって様々であってもよい。更に、サブピクセルを、赤色、緑色及び青色の代わりに、又はそれらに加えて、色と関連付けることができる。図３Ｂに示される表示パネル２３０の３００Ａでは、ゲートライン選択のタイミングが実行できなくなる量でゲートラインの数を増加させることなく、ソースラインの数が低減される。
【００３６】
[0041]一実施形態では、第１のゲートラインは、第１のタイプの第１のサブピクセルと、第３のタイプの第１のサブピクセルとに結合され、第２のゲートラインは、第２のタイプの第１及び第２のサブピクセルに結合され、第３のゲートラインは、第１のタイプの第２のサブピクセルと、第３のタイプの第２のサブピクセルとに結合される。更に、第１のソースは、第１のタイプの第１及び第２のサブピクセルと、第２のタイプの第１のサブピクセルとに結合され、第２のソースラインは、第２のタイプの第２のサブピクセルと、第３のタイプの第１及び第２のサブピクセルとに結合される。
【００３７】
[0042]図３Ａは、デートライン２２４１に結合されたサブピクセルＲ１、Ｂ１、Ｒ２及びＢ２と、ゲートライン２２４２に結合されたサブピクセルＧ１、Ｇ２、Ｇ３及びＧ４と、ゲートライン２２４３に結合されたサブピクセルＲ３、Ｂ３、Ｒ４及びＢ４とを示している。更に、サブピクセルＲ１、Ｒ３及びＧ１はソースライン２１８１に結合され、サブピクセルＢ１、Ｂ３及びＧ３はソースライン２１８２に結合され、サブピクセルＲ２、Ｒ４及びＧ２はソースライン２１８３に結合され、サブピクセルＢ２、Ｂ４及びＧ４はソースライン２１８４に結合される。更に、サブピクセルＲ５、Ｂ５、Ｒ６及びＢ６はゲートライン２２４４に結合され、サブピクセルＧ５、Ｇ６、Ｇ７及びＧ８はゲートライン２２４４に結合され、サブピクセルＲ７、Ｂ７、Ｒ８及びＢ８はゲートライン２２４４に結合される。それに加えて、図示されるように、サブピクセルＲ４、Ｒ５及びＧ５はソースライン２１８１に結合され、サブピクセルＢ５、Ｂ７及びＧ７はソースライン２１８２に結合され、サブピクセルＲ８、Ｒ８及びＧ６はソースライン２１８３に結合され、サブピクセルＢ６、Ｂ８及びＧ８はソースライン２１８４に結合される。
【００３８】
[0043]一実施形態では、部分３００Ａは、ソースラインが異なる列のサブピクセル間で共有されない従来の表示パネルと比較して、ソースラインの数が１／３減少し、ゲートラインの数が５０％〜３／２増加した、３／２ピクセル構成を含む。特に、所与の列におけるピクセルの各対は、２つのソースラインと３つのゲートラインに結合される。例えば、ソースライン２１８１及び２１８２とゲートライン２２４１、２２４２及び２２４３とに結合された、ピクセル３０２及び３０４を備えるピクセル対３０６について考察する。ソースライン２１８１は、ピクセル３０２のサブピクセルＲ１及びＧ１の両方と、ピクセル３０４のサブピクセルＲ３とに結合される。ソースライン２１８２は、ピクセル３０２のサブピクセルＢ１と、ピクセル３０４のサブピクセルＧ３及びＢ３の両方とに結合される。更に、ゲートライン２２４１は、ピクセル３０２のサブピクセルＲ１及びＢ１に結合される。ゲートライン２２４２はピクセル３０２及び３０４それぞれのサブピクセルＧ１及びＧ３に結合される。ゲートライン２２４３は、ピクセル３０２、３０４の対のサブピクセルＲ３及びＢ３に結合される。この構成は、所与の列のピクセルの各対に対して、また表示パネル２３０の各列に対して繰り返される。
【００３９】
[0044]図３Ａには図示されないが、サブピクセルは、図２に示されるように、トランジスタ（例えば、薄膜トランジスタ）を介して、対応するゲートライン及びソースラインに結合されてもよい。一実施形態では、各ゲートラインは、トランジスタのゲートに結合されてトランジスタのオンオフを切り替えて、各サブピクセルを選択し、また選択を取り消す。ソースラインは、トランジスタのソースに結合されて、ソースデータ（例えば、電圧信号）を供給する。ソースラインは、１つを超えるソースラインが共通のソースドライバに結合されてもよいようにして、グループ化され、マルチプレクサに結合されてもよい。例えば、共通のタイプのサブピクセルを駆動するように構成された２つ以上のソースラインが、マルチプレクサ及び共通のソースドライバに結合されてもよい。
【００４０】
[0045]図３Ｂは、ピクセル３０８及び３１０を含むピクセル対３１２を有する部分３００Ｂを示している。図３Ａの実施形態と比較して、図３Ｂのピクセルは、赤色サブピクセル、緑色サブピクセル、青色サブピクセル及び白色サブピクセルという４つのサブピクセルタイプを含む。他の実施形態では、白色サブピクセルの代わりに、第２の緑色サブピクセル又は黄色サブピクセルが各ピクセル内に含まれてもよい。
【００４１】
[0046]図示される実施形態では、ピクセル３０８は、ソースライン２１８１、２１８２及び２１８３と、ゲートライン２２４１及び２２４２とに結合される。ピクセル３１０は、ソースライン２１８１、２１８２及び２１８３と、ゲートライン２２４２及び２２４３とに結合される。更に、ピクセル３０８はサブピクセルＲ１、Ｇ１、Ｂ１及びＷ１を含み、ピクセル３１０はサブピクセルＲ３、Ｇ３、Ｂ２及びＷ２を含む。サブピクセルＲ１、Ｒ３及びＧ１はソースライン２１８１に結合され、Ｂ１、Ｂ２及びＧ３はソースライン２１８２に結合され、Ｗ１及びＷ２はソースライン２１８３に結合される。それに加えて、サブピクセルＲ１、Ｂ１及びＷ１はゲートライン２２４１に結合され、サブピクセルＧ１及びＧ３はゲートライン２２４２に結合され、サブピクセルＲ３、Ｂ２及びＷ２はゲートライン２２４３に結合される。
【００４２】
[0047]ゲート選択論理２２０は、ゲートライン２２４に結合され、ゲート選択電圧でゲートラインを駆動して、表示更新のためにサブピクセルを選択するように構成される。一実施形態では、ゲート選択論理２２０は、表示更新のためにゲートライン及び対応するサブピクセルを選択するのに、ゲート高電圧（Ｖｇｈ）を駆動し、更新のためにゲートライン及び対応するサブピクセルの選択を取り消すのに、低高電圧（Ｖｇｌ）を駆動するように構成される。ＶｇｈはＶｇｌよりも高電圧であってもよい。一実施形態では、Ｖｇｈは１５ボルトであってもよく、Ｖｇｌは−５ボルトであってもよい。他の実施形態では、他の電圧が使用されてもよい。
【００４３】
[0048]一実施形態では、ゲート選択論理２２０は、更新のために一度に単一のゲートラインを活性化する。他の実施形態では、ゲート選択論理２２０は、一度に更に２つのゲートラインを同時に活性化する。更に、ゲート選択論理２２０は、１つのゲートラインが、第２のゲートラインが活性化される時間と少なくとも部分的に重なり合う期間の間に活性化されるようにして、一度に２つを超えるゲートラインを活性化するように構成されてもよい。例えば、第１のゲートラインは第１の期間の間に活性化されてもよく、第２のゲートラインは第２の期間の間に活性化されてもよく、第３のゲートラインは第３の期間の間、活性であってもよい。第１、第２及び第３の期間は、持続時間が実質的に等しくてもよいが、異なる時間に開始される。具体的には、第１のゲートラインは第２のゲートラインの前に活性化されてもよく、第２のゲートラインは第３のゲートラインの前に活性化されてもよい。各ゲートラインは、少なくとも部分的に重なり合う期間の間に活性化されてもよい。かかる実施形態は、サブピクセル回路が選択電圧に低速で応答し、「パイプライン方式」と呼ばれることがある、ディスプレイで使用されてもよい。例えば、サブピクセルに結合されたトランジスタが低速でオンになる（活性化する）表示パネルでは、ゲートラインは、対応するサブピクセルが更新される前に対応するトランジスタを駆動し始めるので、トランジスタは、サブピクセルの更新が予定されている時間までにそれらのターンオン電圧に達することができる。
【００４４】
[0049]表示ドライバ２１０は、ソースライン２１８に結合され、ソースドライバ２１２を備える。一実施形態では、表示ドライバ２１０はまた、制御論理２１４を含んでもよい。図示されないが、表示ドライバ２１０は更に、１つ以上のメモリ素子と追加の回路とを含んでもよい。
【００４５】
[0050]表示ドライバ２１０のソースドライバ２１２は、ソースライン２１８を介してサブピクセルを駆動するように構成される。各ソースドライバはソースラインのそれぞれ１つに結合されてもよく、又は各ソースドライバはマルチプレクサを通して複数のソースラインに結合されてもよい。一実施形態では、ソースドライバ２１２は、ソースライン上のソースデータを駆動して、サブピクセルを更新するように構成される。各ソースドライバは、電圧をソースライン上へと駆動するように構成された回路を備えてもよい。一実施形態では、ソースドライバは、１つ以上の増幅器とマルチプレクサとを備える。ソースドライバは、共通電圧電極（図示なし）上の共通電圧を参照して、特定の電圧までサブピクセルを荷電するため、ソースデータ信号をサブピクセル上へと駆動するように構成されてもよい。各ソースドライバは、ソースラインの別々の１つに結合され、ソースラインに結合されたサブピクセルを更新するように構成される。
【００４６】
[0051]表示ドライバ２１０はまた、通信経路２５０を介してゲート選択論理２２０と通信するように構成された、制御論理２１４を含む。一実施形態では、制御論理２１４は、表示更新のためにゲートラインの活性化をいつ始めるかの指示をゲート選択論理２２０に提供するように構成される。更に、１つ以上の実施形態では、制御論理２１４は、クロック信号をゲート選択論理２２０に提供するように構成される。更に他の実施形態では、制御論理２１４は、ゲートラインの選択を一時停止する、ゲートラインの選択を再開する及び／又はどのゲートラインを選択するかの、１つ以上の制御信号を提供してもよい。
【００４７】
[0052]表示ドライバ２１０は、外部コンピューティングデバイス（例えば、ホストデバイス、タイミングコントローラなど）に通信可能に結合されてもよい。表示ドライバ２１０は、外部コンピューティングデバイスから表示データを受信し、表示データを処理してサブピクセルを駆動してもよい。更に、表示ドライバ２１０は、処理システム１１０の一部であるか、又は処理システム１１０とは別個であってもよい。様々な実施形態では、表示ドライバ２１０は、単一の集積回路の一部、又は複数の集積回路の一部である。
【００４８】
[0053]表示ドライバ２１０は、表示データに基づいて対応するサブピクセルを更新するのに、各ソースライン上へと駆動されるソースデータを決定するように構成されてもよい。更に、ソースラインはそれぞれ、サブピクセルの各行内の複数のサブピクセルに結合されるので、表示ドライバ２１０は、各ソースライン上で駆動するソースデータを決定するため、ゲートラインを活性化又は選択するのにゲート選択論理２２０に使用されるタイミングを使用してもよい。
【００４９】
[0054]図２及び図３Ａを更に参照して、一実施形態では、ゲート選択論理２２０はゲートライン２２４１を活性化して、更新のためにサブピクセルＲ１、Ｒ２、Ｂ１及びＢ２を選択する。ソースドライバ２１２の第１のソースドライバは、ソースデータでソースライン２１８１を駆動してサブピクセルＲ１を更新し、ソースデータでソースライン２１８２を駆動してサブピクセルＢ１を更新し、ソースデータでソースライン２１８３を駆動してサブピクセルＲ２を更新し、ソースデータでソースライン２１８４を駆動してサブピクセルＢ２を更新する。一実施形態では、ソースデータは、各サブピクセル上で駆動される電圧レベルに対応する。電圧レベルは、各サブピクセルと共通電圧電極上の共通電圧との間の電圧差を設定し、対応する液晶材料の性質を規定してもよい。各サブピクセルと共通電圧電極との間の電圧差を変動させることによって、各サブピクセルの明るさと、対応する各ピクセルの色とが決定されてもよい。
【００５０】
[0055]ゲートライン２２４２は、ゲートライン２２４１の後に活性化されて、更新のためにサブピクセルＧ１、Ｇ２、Ｇ３及びＧ４を選択してもよい。したがって、ソースライン２１８１〜２１８４に結合されたソースドライバは、対応するソースデータを用いて駆動されて、これらのサブピクセルを更新する。具体的には、ソースライン２１８１はサブピクセルＧ１を更新するのに駆動され、ソースライン２１８２はサブピクセルＧ３を更新するのに駆動され、ソースライン２１８３はサブピクセルＧ２を更新するのに駆動され、ソースライン２１８４はサブピクセルＧ４を更新するのに駆動される。図示されるように、サブピクセルＧ１〜Ｇ４はそれぞれ、もう１つのタイプのサブピクセルとソースラインを共有する。例えば、サブピクセルＧ１及びサブピクセルＲ１は共通のソースラインに結合される。更に、ゲートライン２２４３は、更新のためにサブピクセルＲ３、Ｒ４、Ｂ３及びＢ４を選択するのに活性化される。ソースライン２１８１〜２１８４に結合されたソースドライバは、ソースデータを用いて対応する各ソースラインを駆動して、選択されたサブピクセルを更新する。一実施形態では、第１のソースドライバは、ソースデータでソースライン２１８１を駆動してサブピクセルＲ３を更新し、第２のソースドライバは、ソースデータでソースライン２１８２を駆動してサブピクセルＢ３を更新し、第３のソースドライバは、ソースデータでソースライン２１８３を駆動してサブピクセルＲ４を更新し、第４のソースドライバは、ソースデータでソースライン２１８４を駆動してサブピクセルＢ４を更新する。図からわかるように、２行のサブピクセル（例えば、表示ライン）を更新するのに、３つの異なるゲートラインが活性化される。
【００５１】
[0056]図３Ｂを参照して、ゲート選択論理２２０はゲートライン２２４１を活性化して、更新のためにサブピクセルＲ１、Ｒ２、Ｂ１及びＷ１を選択する。ソースドライバ２１２の第１のソースドライバは、ソースデータでソースライン２１８１を駆動してサブピクセルＲ１を更新し、ソースデータでソースライン２１８２を駆動してサブピクセルＢ１を更新し、ソースデータでソースライン２１８３を駆動してサブピクセルＷ１を更新する。
【００５２】
[0057]ゲートライン２２４２は、ゲートライン２２４１の後に活性化されて、更新のためにサブピクセルＧ１及びＧ２を選択してもよい。したがって、ソースライン２１８１〜２１８２に結合されたソースドライバは、対応するソースデータを用いて駆動されて、これらのサブピクセルを更新する。具体的には、ソースライン２１８１はサブピクセルＧ１を更新するのに駆動され、ソースライン２１８２はサブピクセルＧ３を更新するのに駆動される。例えば、サブピクセルＧ１及びサブピクセルＲ１は共通のソースラインに結合される。更に、ゲートライン２２４３は、更新のためにサブピクセルＲ３、Ｒ４、Ｂ３及びＢ４を選択するのに活性化される。ソースライン２１８１〜２１８３に結合されたソースドライバは、ソースデータを用いて対応する各ソースラインを駆動して、選択されたサブピクセルを更新する。一実施形態では、第１のソースドライバは、ソースデータでソースライン２１８１を駆動してサブピクセルＲ３を更新し、第２のソースドライバは、ソースデータでソースライン２１８２を駆動してサブピクセルＢ２を更新し、第３のソースドライバは、ソースデータでソースライン２１８３を駆動してサブピクセルＷ１を更新する。図からわかるように、２行のサブピクセル（例えば、表示ライン）を更新するのに、３つの異なるゲートラインが活性化される。
【００５３】
[0058]図４は、一実施形態によるサブピクセル回路構造４００の概略図である。回路構造４００は、トランジスタＭと、コンデンサＣと、サブピクセル４０２とを含む。トランジスタＭは、ゲートラインＧｘに結合されたゲートと、ソースラインＳｘに結合されたソースと、サブピクセル４０２に結合されたドレインとを有する電界効果トランジスタ（ＦＥＴ）である。コンデンサＣ及びサブピクセル４０２は、トランジスタＭのドレインと電極（Ｖｃｏｍ）との間に結合される。一実施形態では、容量性感知デバイスのためのルーティングトレースＴｘを、Ｖｃｏｍ電極に結合することができる。別の実施形態では、タッチセンサラインＴｘを専用センサ電極（図示なし）に結合することができる。
【００５４】
[0059]図５によって示されるように、ソースラインの数を低減することによって、表示パネル内のソースラインがない区域が作られる。１つ以上の実施形態では、感知デバイスのためのルーティングトレースがこれらの区域内に配設されてもよい。これらの区域はソースラインから離隔されているので、ソースラインとルーティングトレースとの間の容量結合が最小限に抑えられてもよい。いくつかの実施形態では、ルーティングトレースは、ソースラインがない区域それぞれの中に配設されてもよい。他の実施形態では、ルーティングトレースは、ソースラインがない区域の一部分のみに配設される。更に、ルーティングトレースは、表示パネルのブラックマスク層のブラックマスクチャネルの下方に配設され、それと整列されてもよい。ルーティングトレースを対応するブラックマスクチャネルの下方に配設することによって、ルーティングトレースはユーザから隠され、ディスプレイに対して起こり得る悪影響が少なくとも最小限に抑えられる。
【００５５】
[0060]様々な実施形態では、ルーティングトレース５１０は、ソースラインがないサブピクセル間の区域でルーティングされてもよい。図示されないが、各ルーティングトレースはセンサ電極に結合されてもよい。更に、各ルーティングトレースは表示パネル２３０全体にわたって同様の距離に広がるものとして示されているが、他の実施形態では、１つ以上のルーティングトレースは、表示パネル２３０全体にわたって異なる距離に広がってもよい。
【００５６】
[0061]表示ドライバ２１０はルーティングトレース５１０に結合されてもよい。図示される実施形態では、表示ドライバ２１０は、ルーティングトレース５１０上へと感知信号を駆動して、センサ電極を駆動するように構成されたセンサ回路５１６を含む。更に、４つのルーティングトレースのみが示されているが、様々な実施形態では、４つを超えるルーティングトレースが含まれてもよい。いくつかの実施形態では、ルーティングトレースの数はセンサ電極（図示なし）の数に等しくてもよい。例えば、ルーティングトレースの数は数百であってもよい。
【００５７】
[0062]様々な実施形態では、センサ回路５１６は表示ドライバ２１０と別個であってもよい。かかる実施形態では、センサ回路５１６は、ソースドライバ２１２とは別個の集積回路内に含まれてもよい。更に、センサ回路５１６は、処理システム１１０、又は外部コンピューティングデバイスの別の処理システムに含まれてもよい。
【００５８】
[0063]図６は、いくつかの実施形態によれば、パターンと関連付けられた感知領域１２０内で感知するように構成された、感知電極６２０の例示的なパターンの一部分を示している。各感知電極６２０は、上述した感知素子の１つ以上を含んでもよい。例証及び説明を明瞭にするため、図６は、単純な長方形のパターンでセンサ電極を表しており、他の様々な構成要素は示していない。一実施形態では、各センサ電極は感知領域全体にわたる距離に広がる。更に、センサ電極は、共通の層上に配設されてもよく、又は１つ以上のセンサ電極が第１の層上に配設されてもよく、１つ以上のセンサ電極が第２の層上に配設されてもよい。一実施形態では、第１の複数のセンサ電極は第２の複数のセンサ電極と重なり合う。
【００５９】
[0064]様々な実施形態では、個々のセンサ電極６２０それぞれ、又は複数のセンサ電極６２０は、局所的容量の区域を形成する（容量結合）。局所的容量の区域は、第１の動作モードでは、個々のセンサ電極と接地との間に、第２の動作モードでは、送信機として使用されるセンサ電極の群と受信機電極との間に形成されてもよい。容量結合は、センサ電極６２０と関連付けられた感知領域１２０にある１つ以上の入力オブジェクトの近接性及び運動に伴って変化し、したがって、入力デバイスの感知領域１２０にある入力オブジェクトの存在のインジケータとして使用されてもよい。
【００６０】
[0065]例示的なパターンは、共通の面内においてＸ列及びＹ行で配置されたセンサ電極のアレイを含み、Ｘ及びＹは正の整数であるが、Ｘ及びＹのうち１つはゼロであってもよい。センサ電極６２０のパターンは、極性配列、繰返しパターン、非繰返しパターン、不均一配列、単一の行若しくは列、又は他の好適な構成など、他の構成を有する複数のセンサ電極６２０を備えてもよいことが想起される。更に、以下でより詳細に考察するように、センサ電極６２０は、円形、長方形、菱形、星形、正方形、非凸状、凸状、非凹状、凹状など、任意の形状であってもよい。ここで示されるように、センサ電極６２０は、センサ回路５１６を備える表示ドライバ２１０に結合される。他の実施形態では、センサ回路５１６は、表示ドライバ２１０と別個であって、センサ電極と結合されてもよい。各センサ電極は複数のサブピクセルと重なり合ってもよい。
【００６１】
[0066]各センサ電極は、ルーティングトレース５１０のそれぞれ１つで表示ドライバ２１０に結合される。ルーティングトレース５１０は、センサ電極６２０の下方の層上に配設されてもよい。例えば、ルーティングトレース５１０は、表示パネル２３０の金属層内に配設されてもよい。金属層は、ソースライン２１８と同じ金属層、又はソースライン２１８とは異なる金属層であってもよい。一実施形態では、上述したように、ルーティングトレースは、表示パネル２３０のサブピクセルの間に配設され、表示パネルのブラックマスクと整列されてもよい。各センサ電極は、ビア（例えば、ビア６３０）を通してルーティングトレースのそれぞれ１つと結合されてもよい。各センサ電極をルーティングトレースと結合する、単一のビアのみが示されているが、他の実施形態では、複数のビアが用いられてもよい。更に、ビアは、各センサ電極内に同様の位置で配設されてもよい。
【００６２】
[0067]第１の動作モードでは、センサ電極６２０内の少なくとも１つのセンサ電極が、絶対容量測定技術によって入力オブジェクトの存在を検出するのに利用されてもよい。センサ回路５１６は、変調信号（即ち、容量性感知信号）でルーティングトレース５１０を使用してセンサ電極を駆動し、変調信号に基づいて、センサ電極と入力オブジェクト（例えば、自由空間若しくは接地）との間の容量を測定し、それを利用して入力オブジェクトの位置を判断するように構成される。
【００６３】
[0068]センサ電極６２０の様々な電極は、一般的に、他のセンサ電極６２０の電極からオーム絶縁される。つまり、１つ以上の絶縁体が、センサ電極を分離し、それらが互いに対して電気的に短絡するのを防ぐ。
【００６４】
[0069]第２の動作モードでは、センサ電極６２０内のセンサ電極は、トランスキャパシタンス感知技術によって入力オブジェクトの存在を検出するのに利用される。つまり、センサ回路５１６は、送信機信号で少なくとも１つのセンサ電極を駆動し、他のセンサ電極の１つ以上を使用して、送信機信号に対応する効果を含む、結果として得られる信号を受信する。結果として得られる信号は、入力オブジェクトの位置を判断するのに利用される。
【００６５】
[0070]センサ電極６２０を備える入力デバイス１００は、上述したモードのうち任意の１つで動作するように構成されてもよい。入力デバイス１００はまた、上述したモードのうち任意の２つ以上の間で切り替わるように構成されてもよい。
【００６６】
[0071]いくつかの実施形態では、センサ電極６２０は、これらの容量結合を判断するのに「スキャン」される。つまり、一実施形態では、センサ電極の１つ以上が駆動されて送信機信号を送信する。送信機は、一度に１つの送信機電極が送信するように、又は複数の送信機電極が同時に送信するように操作されてもよい。複数の送信機電極が同時に送信する場合、複数の送信機電極は、同じ送信機信号を送信し、事実上大きい送信機電極を有効に生成してもよい。あるいは、複数の送信機電極は異なる送信機信号を送信してもよい。例えば、複数の送信機電極は、１つ以上のコーディングスキームにしたがって異なる送信機信号を送信して、受信機電極の結果として得られる信号に対するそれらの組み合わされた効果を独立して判断できるようにしてもよい。
【００６７】
[0072]受信機センサ電極として構成されたセンサ電極は、単独で又は複合的に、結果として得られる信号を獲得するように操作されてもよい。結果として得られる信号は、センサ電極６２０における容量結合の測定を判断するのに使用されてもよい。
【００６８】
[0073]他の実施形態では、これらの容量結合を判断する「スキャニング」は、変調信号を用いた駆動と、センサ電極の１つ以上の絶対容量の測定を含む。別の実施形態では、センサ電極は、変調信号が複数のセンサ電極６２０のセンサ電極上で同時に駆動されるように操作されてもよい。かかる実施形態では、絶対容量測定値は、１つ以上のセンサ電極それぞれから同時に得られてもよい。一実施形態では、センサ回路５１６は、複数のセンサ電極６２０のセンサ電極を同時に駆動し、同じ感知サイクルでセンサ電極６２０それぞれに対する絶対容量測定値を測定する。様々な実施形態では、センサ回路５１６は、センサ電極の一部分で選択的に駆動し受信するように構成されてもよい。例えば、センサ電極は、非限定的に、ホストプロセッサで稼動しているアプリケーション、入力デバイスの状態、感知デバイスの動作モード及び入力デバイスの判断された位置に基づいて選択されてもよい。
【００６９】
[0074]センサ電極６２０からの一連の測定値は、容量性画像の各ピクセルが上述したような容量結合を表す、容量性画像（容量性フレーム）を形成する。複数の容量性画像が複数の期間にわたって獲得されてもよく、それらの差は感知領域の入力に関する情報を引き出すのに使用される。例えば、連続する期間にわたって獲得された連続する容量性画像を使用して、感知領域に入る、そこから出る、またその中の１つ以上の入力オブジェクトの動きを追跡することができる。
【００７０】
[0075]いくつかの実施形態では、センサ電極６２０におけるセンサ電極の１つ以上は、表示パネル（例えば、表示パネル２３０）の表示を更新するのに使用される、１つ以上の表示電極を含む。１つ以上の実施形態では、表示電極は、Ｖｃｏｍ電極（共通電極）、ソース駆動ライン、ゲートライン、アノード電極若しくはカソード電極、又は他の任意の表示素子の１つ以上のセグメントを備える。これらの表示電極は、適切な表示画面基板上に配設されてもよい。例えば、電極は、透明基板（ガラス基板、ＴＦＴガラス、若しくは他の任意の透明材料）上、いくつかの表示画面内（例えば、Ｉｎ  Ｐｌａｎｅ  Ｓｗｉｔｃｈｉｎｇ（ＩＰＳ）若しくはＰｌａｎｅ  ｔｏ  Ｌｉｎｅ  Ｓｗｉｔｃｈｉｎｇ（ＰＬＳ）、有機発光ダイオード（ＯＬＥＤ））、いくつかの表示画面の色フィルタガラスの底面上（例えば、Ｐａｔｔｅｒｎｅｄ  Ｖｅｒｔｉｃａｌ  Ａｌｉｇｎｍｅｎｔ（ＰＶＡ）若しくはＭｕｌｔｉ−ｄｏｍａｉｎ  Ｖｅｒｔｉｃａｌ  Ａｌｉｇｎｍｅｎｔ（ＭＶＡ））、放射層の上（ＯＬＥＤ）などに配設されてもよい。かかる実施形態では、センサ及び表示電極の両方として使用される電極は、複数の機能を実施するので、組み合わせ電極と呼ぶこともできる。
【００７１】
[0076]一実施形態では、センサ回路５１６は、入力感知が望ましい期間の間、送信機信号又は変調信号を感知電極上へと駆動し、結果として得られる信号を感知電極で受信するように構成された回路を含む。一実施形態では、センサ回路５１６は、入力感知が望ましい期間の間、送信機信号を感知電極上へと駆動するように構成された、回路を含む送信機モジュールを含む。送信機信号は、一般に変調され、入力感知に割り当てられた期間にわたって１つ以上のバーストを含む。送信機信号は、感知領域にある入力オブジェクトのより堅牢な位置情報を得るように変更されてもよい、振幅、周波数及び電圧を有してもよい。絶対容量感知で使用される変調信号は、トランスキャパシタンス感知で使用される送信機信号と同じであるか、又はそれとは異なってもよい。センサ回路５１６は、センサ電極６２０におけるセンサ電極の１つ以上に選択的に結合されてもよい。例えば、センサ回路５１６は、センサ電極の選択部分に結合され、絶対容量又はトランスキャパシタンス感知モードのどちらかで動作してもよい。別の例では、センサ回路５１６は、絶対感知モードで動作しているとき、トランスキャパシタンスモードで動作しているときとは異なるセンサ電極に結合されてもよい。
【００７２】
[0077]様々な実施形態では、センサ回路５１６は、入力感知が望ましい期間の間、送信機信号に対応する効果を含む感知電極で、結果として得られる信号を受信するように構成された、受信機回路を含んでもよい。１つ以上の実施形態では、受信機回路は、変調信号を第１のセンサ電極上へと駆動し、変調信号に対応する、結果として得られる信号を受信して、センサ電極の絶対容量の変化を判断するように構成される。受信機回路は、感知領域１２０における入力オブジェクトの位置を判断してもよく、あるいは感知領域１２０における入力オブジェクトの位置を判断するため、結果として得られる信号を示す情報を含む信号を別のモジュール又はプロセッサに、例えば、表示ドライバ２１０のデターミナ、又は別の処理システム（例えば、処理システム１１０）、又は電子デバイスのプロセッサ（即ち、ホストプロセッサ）に提供してもよい。１つ以上の実施形態では、受信機回路は複数の受信機を備え、各受信機はアナログフロントエンド（ＡＦＥ）であってもよい。
【００７３】
[0078]本明細書に記述した実施形態及び実施例は、本発明の技術にしたがった実施形態及びその特定の適用例を説明し、それによって当業者が本開示を作成し使用できるようにするために提示したものである。しかしながら、当業者であれば、上述の説明及び実施例は単に例証及び例示の目的で提示したものであることを認識するであろう。記述したような説明は、網羅的であること、又は開示される正確な形態に本開示を限定することを意図したものではない。
【符号の説明】
【００７４】
１００  入力デバイス
１１０  処理システム
１２０  感知領域
１３０  ボタン
１４０  入力オブジェクト
２００  表示デバイス
２１０  表示ドライバ
２１２  ソースドライバ
２１４  制御論理
２１８  ソースライン
２２０  ゲート選択論理
２２４  ゲートライン
２３０  表示パネル
２４０  サブピクセル
３０２  ピクセル
３０４  ピクセル
３０６  ピクセル対
３０８  ピクセル
３１０  ピクセル
３１２  ピクセル対
【図１】
2018156076.tif 000003
【図２】
2018156076.tif 000004
【図３Ａ】
2018156076.tif 000005
【図３Ｂ】
2018156076.tif 000006
【図４】
2018156076.tif 000007
【図５】
2018156076.tif 000008
【図６】
2018156076.tif 000009
【外国語明細書】
2018156076000001.pdf